(57)【特許請求の範囲】
【請求項１】
２つの流動性成分を分配するためのデュアルディスペンサ装置であって、
長手方向の軸線（Ａ）の方向に近位端（４）から遠位端（５）まで延びる第１の成分用の第１の保管チャンバ（２）であって、前記遠位端（５）に前記第１の成分用の出口（２１）を有する第１の保管チャンバ（２）と、
前記長手方向の軸線（Ａ）の方向に近位端（４）から遠位端（５）まで延びる第２の成分用の第２の保管チャンバ（３）であって、前記第１の保管チャンバ（２）に隣り合って配置され、また前記遠位端（５）に前記第２の成分用の出口（３１）を有する第２の保管チャンバ（３）と、
前記第１の保管チャンバ（２）に貫入する第１のプランジャ（７）であって、前記第１の成分を分配するためのピストン（７１）を有し、前記ピストン（７１）は、前記第１のプランジャ（７）の端部に成形され、且つ前記第１の保管チャンバ（２）の壁によって密閉状態で案内される、第１のプランジャ（７）と、
前記第２の保管チャンバ（３）に貫入する第２のプランジャ（８）であって、前記第２の成分を分配するためのピストン（８１）を有し、前記ピストン（８１）は、前記第２のプランジャ（８）の端部に成形され、且つ前記第２の保管チャンバ（３）の壁によって密閉状態で案内される、第２のプランジャ（８）と
を有する装置において、
各保管チャンバ（２、３）が、前記出口（２１、３１）から遠いその端部（４）に少なくとも１つの第１の案内要素（１１）を有し、各プランジャ（７、８）が、前記それぞれのピストン（７１、８１）に隣接する少なくとも１つの第２の案内要素（１２）を有し、前記第１の案内要素（１１）及び前記第２の案内要素（１２）が、互いに係合するように構成されていること、および
前記第１の案内要素が、前記保管チャンバ（２、３）の前記壁における溝（１１）であり、前記第２の案内要素が、前記溝（１１）内に係合可能なウェブ（１２）であること
を特徴とする装置。
【請求項２】
各ウェブ（１２）が、いずれの場合にも、該ウェブ（１２）と協働する前記溝（１１）より長い請求項１に記載の装置。
【請求項３】
各プランジャ（７、８）が、該プランジャ（７、８）の周縁上に等距離に分配された４つのウェブ（１２）を有する請求項１又は請求項２に記載の装置。
【請求項４】
各溝（１１）が、それぞれの前記出口（２１、３１）に面するそれぞれの端部で終わるものとして構成される請求項１から３までのいずれか一項に記載の装置。
【請求項５】
各溝の長さ（Ｌ１）が、前記それぞれの保管チャンバ（２、３）の長さの少なくとも１５％、好ましくは少なくとも２０％である請求項１から４までのいずれか一項に記載の装置。
【請求項６】
各出口（２１、３１）が円形断面をそれぞれ有する請求項１から５までのいずれか一項に記載の装置。
【請求項７】
２つの前記出口（２１、３１）が、スタティック・ミキサ（１０）又は閉鎖キャップ（９）と協働するように構成された結合デバイス（６）の一部である請求項１から６までのいずれか一項に記載の装置。
【請求項８】
前記結合デバイス（６）がバヨネット接続用に構成されている請求項７に記載の装置。
【請求項９】
前記結合デバイス（６）は、スタティック・ミキサ（１０）又は閉鎖キャップ（９）のコード化要素と協働することによって、スタティック・ミキサ（１０）又は閉鎖キャップ（９）を前記出口（２１、３１）の上に正確に特定の向きでのみ配置するように構成されたコード化手段（６１）を含む請求項７又は請求項８に記載の装置。
【請求項１０】
前記結合デバイス（６）に解放可能に接続される、２つの前記出口（２１、３１）を閉じる閉鎖キャップ（９）を有する請求項７から９までのいずれか一項に記載の装置。
【請求項１１】
前記装置が、前記結合デバイス（６）に解放可能に接続されるスタティック・ミキサ（１０）を有し、各出口（２１、３１）が前記スタティック・ミキサ（１０）の入口に接続される請求項７から９までのいずれか一項に記載の装置。
【発明の詳細な説明】
【技術分野】
【０００１】
本発明は、独立請求項の前提部分による、２つの流動性成分を分配するためのデュアルディスペンサ装置に関するものである。
【背景技術】
【０００２】
２つの成分系を保管及び分配するために、デュアルシリンジなどのデュアルディスペンサ装置がよく用いられる。この２つの成分系において、２つの成分は、例えば、それぞれの適用のために単に互いに接触し、次いで固まるようにすべきである。２つの互いに分離した保管チャンバが設けられ、そのそれぞれが２つの成分の１つを収容する。各保管チャンバには、保管チャンバから出口を通してそれぞれの成分を分配するために、ピストンを有するプランジャが設けられる。２つのプランジャは通常、デュアルプランジャの形で構成される。こうしたディスペンサ装置は、通常は入口領域が２つの保管チャンバの出口に接続されたスタティック・ミキサを備えている。２つの成分は、それを適用する場合に、２つのプランジャに対する圧力作用によりそれぞれの出口を通してスタティック・ミキサ内に運ばれ、そこで２つの成分が完全に混合され、次いで均質な集合体として分配される。
【０００３】
そうしたデュアルシリンジの内容物は、複数回の適用の後に使い尽くされることが多い。そのような場合、１回の適用後にスタティック・ミキサが取り外され、デュアルシリンジには、２つの出口を閉じる閉鎖キャップが提供される。次の適用の場合には閉鎖キャップが取り外され、新しいスタティック・ミキサが配置され、ミキサを通して成分が分配される。
【０００４】
保管チャンバ内にはそれぞれピストンが設けられ、プランジャによって移動させられることにより出口を通してそれぞれの成分を放出する。この目的のために、ピストンはそれぞれの保管チャンバ内の別個の構成要素として働き、手動で又は機械的に作動されるプランジャによってこれらピストンを移動させる装置が知られている。しかしながら、ピストンがそれぞれプランジャに直接成形される装置、すなわちピストンが別個の構成要素ではなく、プランジャがその端部領域でピストンとして構成される装置も知られている。
【発明の概要】
【発明が解決しようとする課題】
【０００５】
そのようなデュアルディスペンサ装置では、ピストンとそれぞれの保管チャンバの壁との間のシールがきわめて重要なものになる。この場合、特にピストンがプランジャに成形された装置では、よく問題が起こる。ピストンを移動させる働きをするプランジャによって、曲げモーメント及び捩りモーメントがピストンに直接伝えられ、その結果、それぞれの保管チャンバの長手方向の軸線に対してピストンが傾く。こうしたピストンの傾きによって、望ましくない漏出が生じる可能性、すなわち保管チャンバ内にある成分が、それぞれのピストンと保管チャンバの壁との間を通って出口から遠位の保管チャンバの端部に至り、そこで周囲に出る可能性がある。
【０００６】
この問題は、本発明によって解決される。したがって本発明の１つの目的は、特にピストンが各プランジャに成形されたデュアルシリンジとして構成することもできるデュアルディスペンサ装置であって、ピストンと保管チャンバの壁との間により優れたシールが実現され、そのシールは、曲げモーメント及び捩りモーメントがあっても信頼性が高い状態のままであるデュアルディスペンサ装置を提案することである。
【課題を解決するための手段】
【０００７】
この目的を満たす本発明の主題は、独立請求項の特徴部分によって特徴付けられる。
【０００８】
したがって本発明によれば、２つの流動性成分を分配するためのデュアルディスペンサ装置が提案され、このデュアルディスペンサ装置は、第１の成分用の第１の保管チャンバと第２の成分用の第２の保管チャンバを有し、２つの保管チャンバは互いに隣り合って配置され、各保管チャンバはその遠位端に、それぞれ第１の成分用又は第２の成分用の出口を有し、またデュアルディスペンサ装置は、第１の保管チャンバに貫入する第１のプランジャと第２の保管チャンバに貫入する第２のプランジャとを有し、それぞれの成分を分配するそれぞれのピストンが各プランジャに成形されて、保管チャンバのそれぞれの壁によって密閉した形で案内され、各保管チャンバは、出口から遠いその端部に少なくとも１つの第１の案内要素を有し、各プランジャは、それぞれのピストンに隣接する少なくとも１つの第２の案内要素を有し、第１の案内要素及び第２の案内要素は、互いに係合するように構成される。
【０００９】
したがって、プランジャの作動によって生じる可能性がある曲げモーメント及び捩りモーメントが、２つの互いに係合する案内要素それぞれによって、一方では保管チャンバの近位端、すなわちそれぞれの出口から遠い保管チャンバの端部において、他方ではピストンとして構成されたプランジャの端部の近傍において、少なくとも保管チャンバの壁に伝えられる程度に大きくなり、ピストンとして形成されたそれぞれのプランジャの端部には、前記曲げ及び捩りの要素が、（仮に作用するとしても）実質的に弱められた形で作用するだけにすることができ、その結果、ピストンの傾きが実質的に低減されるか、又は完全に回避される。したがって、ピストンと保管チャンバの壁との間にかなり改善されたシールが生じる。
【００１０】
特に好ましい実施例では、第１の案内要素は、保管チャンバの壁における溝であり、第２の案内要素は、溝に係合することができるウェブである。このウェブと溝の間の協働によって、捩りの動きが保管チャンバの壁に特に適切に伝わることが保証される。
【００１１】
有利には、各ウェブは案内長に対してそれぞれ、ウェブと協働する溝より長く構成される、すなわち、プランジャがそれぞれの出口の方向に移動するときに溝によって案内される経路は、この手段によって拡大することができる。
【００１２】
各プランジャがプランジャの周縁上に等距離に分配された４つのウェブを有する場合に、特に有利であることが分かっている。周縁方向に対して互いに９０°ずらして配置された４つの溝及び４つのウェブを有するこの構成によって、傾きに対するピストンの特に適切な保護を実現することができる。
【００１３】
好ましい手段は、各溝をそれぞれの出口から遠いその溝の端部で終わるものとして構成することである。それによってウェブは、プランジャの移動時に、シールを弱めることなくより簡単に摺動して、それぞれの溝から外れることが可能になる。
【００１４】
実際には、各溝の長さが、それぞれの保管チャンバの長さの少なくとも１５％、好ましくは少なくとも２０％になる場合に有利であることが分かっている。このようにして、特に適切なプランジャの案内及び特に小さいピストンの傾きが実現される。
【００１５】
好ましい実施例では、各出口はそれぞれの円形断面を有する。これに関して、２つの出口間のクロス・コンタミネーションが回避されるように、出口は完全に互いに分離される。
【００１６】
２つの出口は、スタティック・ミキサ又は閉鎖キャップと協働するように構成された結合デバイスの一部であることが好ましい。出口は、この手段によって、分配用のスタティック・ミキサ又は次の利用まで出口を閉じる閉鎖キャップに簡単な方法で接続することが可能になる。
【００１７】
実際の態様の下では、結合デバイスがバヨネット接続用に構成される場合、簡単に処理することができるため有利である。
【００１８】
有利な手段は、結合デバイスが、スタティック・ミキサ又は閉鎖キャップのコード化要素と協働するように構成されたコード化手段を含むことを包含する。それによって、スタティック・ミキサ又は閉鎖キャップを、結合デバイス、したがって保管チャンバの出口に、正確にある向きにおいてのみ接続可能にすることが保証される。このようにして、出口のクロス・コンタミネーション又は閉塞を効果的に回避することができる。
【００１９】
成分の保管に関しては、結合デバイスに解放可能に接続され、２つの出口を閉じる閉鎖キャップが設けられる場合に有利である。
【００２０】
２つの成分の分配のためには、結合デバイスに解放可能に接続されるスタティック・ミキサが設けられることが好ましく、各出口は、スタティック・ミキサの入口に接続される。ミキサと結合デバイスの間に、結合デバイスのコード化手段と協働するコード化手段を有するアダプタが設けられるような実施例も可能である。
【００２１】
本発明のさらに有利な手段及び実施例は、従属請求項から得ることができる。
【００２２】
以下では実施例及び図面を参照しながら、本発明についてさらに詳しく説明する。概略図は、一部が断面で示される。
【図面の簡単な説明】
【００２３】
【図１】本発明によるデュアルディスペンサ装置の一実施例の斜視図。
【図２】保管チャンバの斜視図。
【図３】出口から遠い端部から保管チャンバの中を見た、保管チャンバの斜視図。
【図４】図２の線ＩＶ-ＩＶに沿った保管チャンバの１つを通る縦断面図。
【図５】溝の領域内の、２つの保管チャンバの１つを通る概略断面図である。
【図６】溝の１つを有する保管チャンバの壁からの断面図。
【図７】実施例の２つのプランジャの斜視図。
【図８】２つのプランジャの平面図。
【図９】ウェブの１つを断面で示す、プランジャからの断面図。
【発明を実施するための形態】
【００２４】
図１は、全体として参照番号１によって示され、デュアルシリンジ１として構成された、本発明によるデュアルディスペンサ装置の一実施例を斜視図として示している。デュアルシリンジ１は、適用の直前に単に互いに接触させる又は互いに混合するべきである２つの流動性成分を保管及び分配するように設計される。そうした２つの成分系は、例えば２成分接着剤である。互いに別々に保管された２つの成分を混合した後、接着剤は固くなり、それによってその接着力を生じさせる。
【００２５】
デュアルシリンジ１は、互いに隣り合って配置された２つの保管チャンバ、すなわち第１の成分用の第１の保管チャンバ２、及び第２の成分用の第２の保管チャンバ３を有し、各保管チャンバは、長手方向の軸線Ａの方向に近位端４から遠位端５まで延びる。保管チャンバ２、３は、デュアルカートリッジを形成する。さらによく理解するために、図２は２つの保管チャンバ２、３の斜視図を示し、図３は、近位端４に向かって２つの保管チャンバ２、３の近位端領域を見た、保管チャンバ２、３の斜視図を示している。２つの保管チャンバ２、３は、デュアルシリンジ１の手動操作のための指の支持体として構成された接続部分４１を介して、それらの近位端４で互いに接続される。
【００２６】
各保管チャンバ２、３は、遠位端５に、第１の成分又は第２の成分のためのそれぞれの出口２１、３１を有する（図２参照）。各出口２１、３１は、各ケースにおいてそれぞれの成分のための流れ断面として円形断面を有する別個の出口２１、３１として構成される。２つの構成要素２１、３１は互いに間隔を置いて配置され、スタティック・ミキサ１０（図１参照）又は閉鎖キャップ９と協働するように構成された結合デバイス６の一部を形成する。図１は、出口２１、３１上に配置され係止された閉じたキャップ９を有するデュアルシリンジ１を示している。図２では、出口２１、３１を見るのに妨げがないようにこの閉鎖キャップが除かれている。この実施例では、結合デバイス６はバヨネット（差し込み）接続用に構成される。したがって、閉鎖キャップ９又はスタティック・ミキサ１０は、結合デバイス６を介して、バヨネット接続の形で２つの出口２１、３１に選択的に接続することが可能である。
【００２７】
デュアルディスペンサ装置１はさらに、第１の保管チャンバ２に貫入する第１のプランジャ７、並びに第２の保管チャンバ３に貫入する第２のプランジャ８を含む。ここで記述する実施例では、第１のプランジャ７及び第２のプランジャ８は、保管チャンバ２、３に貫入しないそれらの端部で、２つのプランジャ７、８が共通の圧力プレート７９を介して互いに接続されたデュアルプランジャ７８として構成される。
【００２８】
保管チャンバ２、３及びプランジャ７、８はどちらも、プラスチックで製造されることが好ましく、プランジャ７、８に用いられるプラスチックは、保管チャンバ２、３に用いられるものと同じである必要はない。デュアルカートリッジを形成する保管チャンバ２、３、及びデュアルプランジャ７８を形成するプランジャ７、８はどちらも、通常は射出成形プロセスによって製造される。
【００２９】
さらによく理解するために、図７は、デュアルプランジャ７８として形成された２つのプランジャ７、８の斜視図を示しでいる。図８はさらに、長手方向の軸線Ａに垂直な方向からの２つのプランジャ７、８の平面図を示している。特に図７及び８に表現されるように、プランジャ７、８はそれぞれ骨組構造によって製造される。この骨組構造は、できるだけ少ない材料消費量と、できるだけ適切な剛性、特に曲げ剛性との間でのきわめて妥当な折衷案である。特に図８も示すように、プランジャ７、８はそれぞれ、大体それらの周縁部の半分より大きい部分を端から端まで延びる壁７２、８２で覆うように構成される。このことは、一方では、保管チャンバ２、３でのプランジャ７、８の摺動を容易にし、プランジャ７、８の剛性を高め、他方では、射出成形プロセスにおけるデュアルシリンジ７８又はプランジャ７、８の取り出しを可能にする。
【００３０】
ピストン７１及び８１はそれぞれ、それぞれのケースにおいて、その端部でプランジャ７、８のそれぞれに成形される。ピストン７１、８１は、それぞれ保管チャンバ２及び３から２つの成分を分配するように働き、各ピストンは、それぞれ関連付けられた保管チャンバ２及び３の壁によって密閉した形で案内される。ピストン７１、８１は別個の構成要素として構成されるのではなく、むしろ、それぞれプランジャ７及び８と共に一部片の形で生成される。
【００３１】
２つの成分を分配するために、まず図１に示す閉鎖キャップ９が結合デバイス６、したがって２つの出口２１、３１から外され、スタティック・ミキサ１０がバヨネット式のラッチングによって結合デバイス６に接続される。それによって、出口２１、３１のそれぞれに、関連付けられたスタティック・ミキサ１０の入口へのそれぞれの流れ連通が生じる。ここで２つのプランジャ７、８は、例えば手で押すことによる圧力プレート７９への圧力作用によって、それらに関連付けられた保管チャンバ２、３の中にさらに深く押し込まれ、それにより、２つのピストン７１、８１がそれぞれ、第１の成分又は第２の成分をそれぞれの出口２１又は３１を通してスタティック・ミキサの中へ運ぶ。２つの成分は、公知の方法でスタティック・ミキサ１０の中で完全に混合され、本質的に均質な集合体を形成し、次いで適用のために、保管チャンバ２、３から遠いスタティック・ミキサ１０の端部から出る。適用が終了した後、スタティック・ミキサ１０は結合デバイス６から取り外され、閉鎖キャップ９と取り替えられ、したがって閉鎖キャップ９が２つの出口２１及び３１を再び閉じる。
【００３２】
結合デバイス６は、閉鎖キャップ９又はスタティック・ミキサ１０を、保管チャンバ又は出口２１、３１の上に正確に特定の向きでのみ配置することができるように、スタティック・ミキサ１０又は閉鎖キャップ９のコード化要素（ｅｎｃｏｄｉｎｇ  ｅｌｅｍｅｎｔ）と協働するように構成されたコード化手段６１を有することが好ましい。
【００３３】
従来技術によって知られているデュアルディスペンサ実施例とは異なり、本発明によるデュアルディスペンサ装置１における各保管チャンバ２、３は、その近位端４、すなわちそれぞれ出口２１、３１から遠い端部に、少なくとも１つの第１の案内要素１１を有し、各プランジャ７、８は、それぞれのピストン７１、８１に隣接して、少なくとも１つの第２の案内要素１２を有し、第１の案内要素１１及び第２の案内要素１２は、互いに係合するように構成される。
【００３４】
本明細書に記載する実施例では、第１の案内要素は、内部空間の境界を定める保管チャンバ２、３の壁の中の各溝１１であり、第２の案内要素は、それぞれプランジャ７１及び８１の外面に配置され、それぞれの溝１１に係合するように構成された各ウェブ１２である。溝１１及びウェブ１２はどちらも、それぞれ長手方向の軸線Ａの方向に延びる。
【００３５】
溝１１及びウェブ１２を互いに係合することによって、プランジャ７、８、したがって特にピストン７１、８１の非常に改善され且つ長く延びた案内が得られる。前記ピストンは、傾く傾向がずっと小さくなり、その結果、一方ではピストン７１、８１と、他方では保管チャンバ２、３の壁との間で実質的に改善されたシールが得られる。したがって、例えば圧力プレート７９に対する圧力によってデュアルプランジャ７８を手動で作動するときに生じることがある曲げモーメント又は捩りモーメント、並びに捩れが、協働する溝１１及びウェブ１２を介して保管チャンバ２又は３の壁にそれぞれ伝えられ、したがってピストン７１、８１には、（仮に作用するとしても）著しく弱められた形で作用するだけにすることができる。ピストン７１、８１に力を作用させ得るレバー・アームは、互いに係合する溝１１及びウェブ１２によって曲げモーメントと共に特に小さくなり、それにより、ピストンがそうした力によって傾きにくくなるようにすることができる。
【００３６】
この改善された傾きに対する抵抗力によって、ピストン７１及び８１の軸線方向の高さＨをより小さく構成することが可能になる（図８参照）。
【００３７】
保管チャンバ２、３が近位端５から充填される場合、溝１１は、充填を終えた後、プランジャ７、８の保管チャンバ２、３への挿入時に、有利な形で通気するように働く。
【００３８】
本明細書に記載する実施例では、各プランジャ７又は８にはそれぞれ、４つのそれぞれのウェブ１２が設けられ、それぞれのプランジャ７、８の周縁部の上に等距離に分配される。すなわち、プランジャ７又は８の隣接するウェブ１２は、各ケースにおいて周縁方向に対して互いに９０°の間隔を有している。さらによく理解するために、図９は、プランジャ７又は８からの断面を、ウェブ１２の１つを断面内に示す断面図として示している。
【００３９】
それに応じて同様に、保管チャンバ２、３のそれぞれに、４つのそれぞれの溝１１が設けられ、実質的に円筒形の保管チャンバ２及び３の内壁上に等距離に分配される。このことをさらに明確に図示するために、図４は、線ＩＶ-ＩＶに沿った保管チャンバ２、３の１つを通る縦断面図を示し、図５は、溝１１のある領域内で２つの保管チャンバ２又は３の１つを通る、長手方向の軸線Ａに垂直な図式化した断面図を示している。図６はさらに、溝１１の１つを有する２つの保管チャンバ２又は３の１つの壁の断面を、断面図として示している。
【００４０】
特に図４が示すように、溝１１はそれぞれ近位端４の近くで始まり、そこから長手方向の軸線Ａの方向に長さＬ１にわたって延びている。
【００４１】
各保管チャンバ２、３の内壁には、近位端４の領域内に、保管チャンバ２、３の内側の空間にわずかに突出し、保管チャンバ２、３の内側周縁部全体に沿って周縁方向に延びるリング形のリブとして構成された保持部１３がさらに設けられる。溝１１のそれぞれは、溝１１が保持部１３を横断するように配置される。すなわち、溝１１はそれぞれ、保持部１３の一方の側で長手方向の軸線Ａによって画定される軸線方向に始まって、保持部１３の他方の側で終わる。
【００４２】
プランジャ７、８にあるウェブ１２（特に図８参照）はそれぞれ、出口２１、３１から遠いピストン７１、８１の端部（すなわちピストン７１又は８１がそれぞれ、プランジャ７及び８の残余部分とそれぞれ合体するところ）で始まり、そこから長手方向の軸線Ａの方向に長さＬ２にわたって、共通の圧力プレート７９に向かって延びている。ウェブ１２が始まる、ピストン７１及び８１の端部それぞれにおける軸線方向の同じ位置には、プランジャ７及び８の周縁部に、保持部１３と協働して、デュアルプランジャ７８が意図せずに引き出されにくくする複数のラッチ・ノーズ１４が設けられる。デュアルプランジャ７８が保管チャンバ２、３から引き出される場合、ラッチ・ノーズ１４は保持部１３と係合し、それによって、デュアルプランジャ７８の移動が妨げられる。ラッチ・ノーズ１４は、さらに高い力を加えることによってのみ保持部１３の上に引き上げられ、デュアルプランジャを保管チャンバ２、３から完全に取り外すことができる。
【００４３】
保管チャンバ２又は３ごとに４つの溝１１、及びプランジャ７又は８ごとに４つのウェブ１２を有する実施例によって、特に安定したクロスガイドが得られ、それによって、捩りモーメント及び曲げモーメントを、保管チャンバの壁にきわめて簡単に伝えることが可能になる。
【００４４】
各ウェブ１２がそれぞれ、それと協働する溝１１より長いことが特に有利である。これは、長さＬ２が長さＬ１より長いことを意味する。プランジャ７、８、したがってピストン７１、８１は、この手段によって、出口２１、３１の方向におけるピストン７１、８１の移動時にさらに長く、この移動において、圧力プレート７９に面するウェブ１２の端部がそれぞれ関連付けられた溝１１から出るまで案内される。
【００４５】
長手方向の軸線Ａの方向に延びる移動であって、それぞれの溝１１から外れるウェブ１２の移動を簡単にするため、すなわち前記移動をより小さい力を加えることによって可能にするために、溝１１は特に、保管チャンバ２又は３内にさらに配置されたそれら溝１１の端部で終わるものとして構成される（図６参照）。図６に関して、図面におけるその右端では、溝１１は軸線方向に緩やかに且つ絶えずより平坦になっており、したがって、ウェブ１２は軸線方向に摺動して、それぞれの溝１１からより簡単に外れることが可能になる。それに応じてウェブ１２にも同じことがあてはまり、ウェブ１２は、やはり軸線方向において終わるものとして構成される。
【００４６】
実際には、各溝１１の長さＬ１は、それぞれの保管チャンバ２及び３の長さのそれぞれ少なくとも１５％、好ましくは少なくとも２０％であることが分かっている。すべての溝１１は、同じ長さＬ１を有することが好ましい。
【００４７】
すべてのウェブ１２は、同じ長さＬ２を有することが好ましい。
【００４８】
デュアルディスペンサ装置１を充填するには、原則として２つの選択肢がある。どちらの保管チャンバ２、３も出口２１、３１を通して充填されるか、又は近位端から充填される。
【００４９】
第１の方法において、デュアルプランジャ７８は、ピストン７１、８１がそれぞれの保管チャンバ２、３の遠位端５に接触するまで、保管チャンバ２、３の中に導入される。次に、第１の成分が第１の出口２１を通して、第２の成分が第２の出口３１を通して導入される。２つのピストン７１、８１は、ラッチ・ノーズ１４が保持部１３と係合するまで、流入する成分によって近位端４の方向に戻るように動かされる。次いで、充填の手順を終了し、出口２１、３１が閉鎖キャップ９によって閉じられる。
【００５０】
第２の方法において、デュアルプランジャ７８は、依然として保管チャンバ２、３の中に導入されない。第１の保管チャンバ２及び第２の保管チャンバ３はそれぞれ、近位端４からそれぞれ第１の成分及び第２の成分で充填され、出力部２１及び３１が閉じられる。軸線方向において、第１の成分又は第２の成分と、ピストン７１、８１の軸線方向の高さＨにちょうど対応する保持部分との間になお自由な空間が存在するときに、最大の充填高さに達する。保管チャンバ２、３はもちろん、より少なく充填することもできる。充填後、デュアルプランジャ７８は保管チャンバ２及び３の中に導入され、ラッチ・ノーズ１４が保持ホルダ１３を乗り越え、そこでラッチされるまで前方へ動かされる。このプロセスにおいて、溝１１は、デュアルプランジャの導入時に空気が逃げるのを助ける。
【００５１】
保管チャンバ２、３を空けるとき、すなわち出口２１、３１を通して２つの成分をスタティック・ミキサ内に分配するとき、溝１１の中に係合するウェブ１２が、ピストン７１、８１の確実で安定した案内を可能にする。出口２１、３１の方向におけるデュアルプランジャ７８又はピストン７１、８１の移動時に、ピストン７１、８１は、溝１１及びウェブ１２によって、長い間、圧力プレート７９に面するウェブ１２の端部が溝１１から出るまで案内される。ウェブ１２の高さ、並びにプランジャ７、８及び保管チャンバ２、３を製造する材料の弾性特性は、ウェブ１２が保管チャンバ２又は３の壁に沿って摺動するとき、溝１１を離れた後、ウェブ１２がピストンに沿った漏れを引き起こさないように選択される。
【００５２】
本発明によるデュアルディスペンサ装置１は、例えば、保管チャンバ２、３の充填体積が、それぞれの場合において２５ｍｌになるデュアルシリンジ１に適している。
【００５３】
本明細書に記載する実施例では、２つの保管チャンバ２、３が同じ大きさ、特に同じ直径を有している。これは特に、２つの成分を１対１の比で混合すべき場合である。もちろん、２つの保管チャンバ２、３が、同じ軸線方向の長さで、異なる大きさ、特に異なる直径を有する実施例も可能である。そのような実施例は、２対１、４対１又は１０対１など他の混合比を実現するのに有利である。
【符号の説明】
【００５４】
１  デュアルシリンジ
２  第１の保管チャンバ
３  第２の保管チャンバ
４  近位端
５  遠位端
６  結合デバイス
７  第１のプランジャ
８  第２のプランジャ
９  閉鎖キャップ
１０  スタティック・ミキサ
１１  第１の案内要素、溝
１２  第２の案内要素、ウェブ
１３  保持部
１４  ラッチ・ノーズ
２１、３１  出口、出力部
４１  接続部分
６１  コード化手段
７１、８１  ピストン
７２、８２  壁
７８  デュアルプランジャ
７９  圧力プレート
Ａ  長手方向の軸線
Ｈ  ピストンの軸線方向の高さ
Ｌ１  溝の長さ
Ｌ２  ウェブの長さ
【図１】
0005960965.tif 000002
【図２】
0005960965.tif 000003
【図３】
0005960965.tif 000004
【図４】
0005960965.tif 000005
【図５】
0005960965.tif 000006
【図６】
0005960965.tif 000007
【図７】
0005960965.tif 000008
【図８】
0005960965.tif 000009
【図９】
0005960965.tif 000010